(57)【要約】【課題】エネルギーを回収する回路の部品の数を減らすことができるプラズマディスプレイ装置を提供する。【解決手段】本発明に係るプラズマディスプレイ装置は、第１電極及び第２電極を含むプラズマディスプレイパネル１００と、第１電圧及び第２電圧、又は第２電圧を供給するエネルギー貯蔵部１１０と、アドレス期間において、エネルギー貯蔵部１１０の第１電圧又は第２電圧に該当するエネルギーを第１電極を介して供給又は回収する第１電極駆動部１２０と、サステイン期間において、エネルギー貯蔵部１１０の第２電圧に該当するエネルギーを第２電極を介して供給又は回収する第２電極駆動部１３０とを含み、第１電圧のレベルは、前記第２電圧のレベルより小さい。【選択図】図１
2007213076.tif 000002
【特許請求の範囲】
【請求項１】
第１電極及び第２電極を備えるプラズマディスプレイパネルと、
第１電圧及び第２電圧、又は第２電圧を供給するエネルギー貯蔵部と、
アドレス期間において、前記エネルギー貯蔵部の前記第１電圧又は前記第２電圧に該当するエネルギーを前記第１電極を介して供給又は回収する第１電極駆動部と、
サステイン期間において、前記エネルギー貯蔵部の前記第２電圧に該当するエネルギーを前記第２電極を介して供給又は回収する第２電極駆動部と
を含み、、
前記第１電圧のレベルは、前記第２電圧のレベルより小さいことを特徴とするプラズマディスプレイ装置。
【請求項２】
前記エネルギー貯蔵部は、キャパシタを含み、
前記キャパシタは、前記第２電圧を供給することを特徴とする請求項１に記載のプラズマディスプレイ装置。
【請求項３】
前記エネルギー貯蔵部は、複数のキャパシタを含み、
前記複数のキャパシタのうちの少なくとも１つは、前記第２電圧を供給し、
前記少なくとも１つのキャパシタを除いた残りのキャパシタは、前記第１電圧を供給することを特徴とする請求項１に記載のプラズマディスプレイ装置。
【請求項４】
前記エネルギー貯蔵部は、第１キャパシタと、第２キャパシタと、第３キャパシタと、を含み、
前記第１キャパシタ及び前記第２キャパシタは、互いに直列接続され、前記第３キャパシタは、前記第１キャパシタ及び前記第２キャパシタに並列接続され、
前記第１電極駆動部は、前記第１キャパシタと前記第２キャパシタとの共通端に接続されることを特徴とする請求項３に記載のプラズマディスプレイ装置。
【請求項５】
前記エネルギー貯蔵部は、複数のキャパシタを含み、
前記複数のキャパシタのうちの少なくとも１つは、前記第２電圧を供給し、前記少なくとも１つのキャパシタを除いた残りのキャパシタは、前記第１電圧を供給し、
前記第１電極駆動部は、前記第１電圧に該当するエネルギーを前記第１電極を介して供給又は回収し、前記第１電極に前記第２電圧を供給することを特徴とする請求項１に記載のプラズマディスプレイ装置。
【請求項６】
前記第２電極は、スキャン電極又はサステイン電極のうちの少なくとも１つを含むことを特徴とする請求項１に記載のプラズマディスプレイ装置。
【請求項７】
第１電極及び第２電極を含むプラズマディスプレイパネルと、
第１電圧及び第２電圧、又は第２電圧を供給するエネルギー貯蔵部と、
アドレス期間において、前記エネルギー貯蔵部の第１電圧又は前記第２電圧に該当するエネルギーをインダクタと前記第１電極を介して供給又は回収する第１電極駆動部と、
サステイン期間において、前記エネルギー貯蔵部の前記第２電圧に該当するエネルギーを前記第２電極を介して供給又は回収する第２電極駆動部と
を含み、
前記第１電圧のレベルは、前記第２電圧のレベルより小さいことを特徴とするプラズマディスプレイ装置。
【請求項８】
前記第１電極駆動部は、第１スイッチとデータドライバを含み、
前記第１スイッチは、前記エネルギー貯蔵部及び前記インダクタの間に接続されて、ターンオン時に前記エネルギーの供給経路及び回収経路を形成し、
前記データドライバは、前記インダクタに接続されて、前記第１電極を介して前記第１電圧又は前記第２電圧に該当するエネルギーを供給又は回収することを特徴とする請求項７に記載のプラズマディスプレイ装置。
【請求項９】
前記エネルギー貯蔵部は、
前記第１電極駆動部を介して供給又は回収された前記エネルギーに該当する前記第２電圧を供給するキャパシタを含み、
前記第１電極駆動部は、第１スイッチとデータドライバを備え、
前記第１スイッチは、前記キャパシタ及び前記インダクタの間に接続されて、ターンオン時に前記エネルギーの供給経路及び回収経路を形成し、
前記データドライバは、前記インダクタに接続されて、前記第１電極を介して前記エネルギーを供給又は回収することを特徴とする請求項７に記載のプラズマディスプレイ装置。
【請求項１０】
前記エネルギー貯蔵部は、複数のキャパシタを含み、
前記複数のキャパシタのうちの少なくとも１つは、前記第２電圧を供給し、前記少なくとも１つのキャパシタを除いた残りのキャパシタは、前記第１電圧を供給し、
前記第１電極駆動部は、第１スイッチとデータドライバを備え、
前記第１スイッチは、前記残りのキャパシタ及び前記インダクタの間に接続されて、ターンオン時に前記エネルギーの供給経路及び回収経路を形成し、
前記データドライバは、前記インダクタに接続されて、前記第１電極を介して前記第１電圧に該当する前記エネルギーを供給又は回収することを特徴とする請求項７に記載のプラズマディスプレイ装置。
【請求項１１】
前記第１電極駆動部は、第２スイッチをさらに含み、
前記第２スイッチは、外部電圧源から供給されたデータ電圧を前記データドライバを介して前記第１電極に供給することを特徴とする請求項１０に記載のプラズマディスプレイ装置。
【請求項１２】
前記第１電極駆動部は、第２スイッチをさらに含み、
前記第２スイッチは、前記少なくとも１つのキャパシタから供給された前記第２電圧を前記データドライバを介して前記第１電極に供給することを特徴とする請求項１０に記載のプラズマディスプレイ装置。
【請求項１３】
前記エネルギー貯蔵部は、第１キャパシタと、第２キャパシタと、第３キャパシタと、を含み、
前記第１キャパシタ及び前記第２キャパシタは、互いに直列接続され、前記第３キャパシタは、前記第１キャパシタ及び前記第２キャパシタに並列接続され、
前記第１電極駆動部は、前記第１キャパシタと前記第２キャパシタとの共通端に接続されることを特徴とする請求項１０に記載のプラズマディスプレイ装置。
【請求項１４】
前記少なくとも１つのキャパシタを除いた残りのキャパシタは、前記第１電極駆動部に接続する第１キャパシタと、前記第１キャパシタに接続する第２キャパシタとを含み、
前記第２キャパシタのキャパシタンスは、前記第１キャパシタのキャパシタンスより大きいことを特徴とする請求項１０に記載のプラズマディスプレイ装置。
【請求項１５】
エネルギー貯蔵部と、第１電極と、第２電極と、を備えるプラズマディスプレイ装置の駆動方法において、
アドレス期間において、前記エネルギー貯蔵部によって供給される第１電圧又は第２電圧に該当するエネルギーを前記第１電極を介して供給又は回収するステップと、
サステイン期間において、前記エネルギー貯蔵部によって供給される前記第２電圧に該当するエネルギーを前記第２電極に供給又は回収するステップと
を含み、
前記第１電圧のレベルは、前記第２電圧のレベルより小さいことを特徴とするプラズマディスプレイ装置の駆動方法。
【請求項１６】
前記アドレス期間において、
前記第２電圧に該当する前記エネルギーを前記第１電極に供給するステップと、
前記第１電極に定電圧を供給するステップと、
前記第１電極から前記第２電圧に該当する前記エネルギーを前記エネルギー貯蔵部に回収するステップと、
前記第１電極にグランドレベルの電圧を供給するステップと、
を含む請求項１５に記載のプラズマディスプレイ装置の駆動方法。
【請求項１７】
前記アドレス期間において、
前記第１電圧に該当する前記エネルギーを前記第１電極に供給するステップと、
前記第１電極に定電圧を供給するステップと、
前記第１電極から前記第１電圧に該当する前記エネルギーを前記エネルギー貯蔵部に回収するステップと、
前記第１電極にグランドレベルの電圧を供給するステップと、
を含む請求項１５に記載のプラズマディスプレイ装置の駆動方法。
【請求項１８】
前記アドレス期間において、
前記第１電圧に該当する前記エネルギーを前記第１電極に供給するステップと、
前記第１電極に前記第２電圧を供給するステップと、
前記第１電極から前記第１電圧に該当する前記エネルギーを前記エネルギー貯蔵部に回収するステップと、
前記第１電極にグランドレベルの電圧を供給するステップと、
を含む請求項１５に記載のプラズマディスプレイ装置の駆動方法。
【発明の詳細な説明】
【技術分野】
【０００１】
本発明は、プラズマディスプレイパネル（Ｐｌａｓｍａ  Ｄｉｓｐｌａｙ  Ｐａｎｅｌ：以下、ＰＤＰとする）駆動装置及びその駆動方法に関する。
【０００２】
プラズマディスプレイパネルは、前面パネルと後面パネルとの間に形成された隔壁が放電セルをなすものであって、放電セル内には、ネオン（Ｎｅ）、ヘリウム（Ｈｅ）又はネオン及びヘリウムの混合気体（Ｎｅ＋Ｈｅ）と少量のキセノンを含有する放電ガスとが充填されている。放電セルは、画像を表示するための複数のピクセルをなすものである。例えば、赤色（Ｒｅｄ、Ｒ）、緑色（Ｇｒｅｅｎ、Ｇ）、青色（Ｂｌｕｅ、Ｂ）の放電セルが集まって、１つのピクセルをなすものである。
【０００３】
プラズマディスプレイパネルにおいては、高周波電圧により放電される際に放電ガスが真空紫外線（Ｖａｃｕｕｍ  Ｕｌｔｒａ  ｖｉｏｌｅｔ  ｒａｙｓ）を発生し、隔壁の間に形成された蛍光体を発光させることにより、映像が具現される。
【０００４】
プラズマディスプレイパネルには、放電を発生させるための駆動電圧が供給され、このような駆動電圧により、リセット期間においてリセット放電、アドレス期間においてアドレス放電、サステイン期間においてサステイン放電などの放電が発生することによって、映像が表示される。
【０００５】
プラズマディスプレイ装置は、エネルギー効率を上げるために、アドレス電極及びサステイン電極に供給されるエネルギーを回収する。アドレス電極及びサステイン電極を介してエネルギーを回収する回路がそれぞれ存在する場合、回路の部品の数が増加するという問題が発生する。
【発明の開示】
【発明が解決しようとする課題】
【０００６】
本発明は、上述の問題点に鑑みてなされたもので、その目的は、エネルギーを回収する回路の部品の数を減らすことができるプラズマディスプレイ装置を提供することにある。
【課題を解決するための手段】
【０００７】
上記の目的を達成すべく、本発明に係るプラズマディスプレイ装置は、第１電極及び第２電極を備えるプラズマディスプレイパネルと、第１電圧及び第２電圧、又は第２電圧を供給するエネルギー貯蔵部と、アドレス期間において、前記エネルギー貯蔵部の第１電圧又は前記第２電圧に該当するエネルギーを前記第１電極を介して供給又は回収する第１電極駆動部と、サステイン期間において、前記エネルギー貯蔵部の前記第２電圧に該当するエネルギーを前記第２電極を介して供給又は回収する第２電極駆動部とを含み、前記第１電圧のレベルは、前記第２電圧のレベルより小さいことを特徴とする。
【０００８】
さらに、前記エネルギー貯蔵部は、キャパシタを含み、前記キャパシタは、前記第２電圧を供給することが好ましい。
【０００９】
また、前記エネルギー貯蔵部は、複数のキャパシタを含み、前記複数のキャパシタのうちの少なくとも１つは、前記第２電圧を供給し、前記少なくとも１つのキャパシタを除いた残りのキャパシタは、前記第１電圧を供給することが好ましい。
【００１０】
ここで、前記エネルギー貯蔵部は、第１キャパシタと、第２キャパシタと、第３キャパシタと、を備え、前記第１キャパシタ及び前記第２キャパシタは、互いに直列接続され、前記第３キャパシタは、前記第１キャパシタ及び第２キャパシタに並列接続され、前記第１電極駆動部は、前記第１キャパシタと前記第２キャパシタとの共通端に接続されることが好ましい。
【００１１】
また、前記エネルギー貯蔵部は、複数のキャパシタを含み、前記複数のキャパシタのうちの少なくとも１つは、前記第２電圧を供給し、前記少なくとも１つのキャパシタを除いた残りのキャパシタは、前記第１電圧を供給し、前記第１電極駆動部は、前記第１電圧に該当するエネルギーを前記第１電極を介して供給又は回収し、前記第１電極に前記第２電圧を供給することが好ましい。
【００１２】
また、前記第２電極は、スキャン電極又はサステイン電極のうちの少なくとも１つを含むことが好ましい。
【００１３】
上記の目的を達成すべく、本発明に係る他のプラズマディスプレイ装置は、第１電極及び第２電極を含むプラズマディスプレイパネルと、第１電圧及び第２電圧、又は第２電圧を供給するエネルギー貯蔵部と、アドレス期間において、前記エネルギー貯蔵部の第１電圧又は前記第２電圧に該当するエネルギーをインダクタと前記第１電極を介して供給又は回収する第１電極駆動部と、サステイン期間において、前記エネルギー貯蔵部の前記第２電圧に該当するエネルギーを前記第２電極を介して供給又は回収する第２電極駆動部とを含み、前記第１電圧のレベルは、前記第２電圧のレベルより小さいことを特徴とする。
【００１４】
さらに、前記第１電極駆動部は、第１スイッチとデータドライバを含み、前記第１スイッチは、前記エネルギー貯蔵部及び前記インダクタの間に接続されて、ターンオン時に前記エネルギーの供給経路及び回収経路を形成し、前記データドライバは、前記インダクタに接続されて、前記第１電極を介して前記第１電圧又は前記第２電圧に該当するエネルギーを供給又は回収することが好ましい。
【００１５】
また、前記エネルギー貯蔵部は、前記第１電極駆動部を介して供給又は回収された前記エネルギーに該当する前記第２電圧を供給するキャパシタを含み、前記第１電極駆動部は、第１スイッチとデータドライバを備え、前記第１スイッチは、前記キャパシタ及び前記インダクタの間に接続されて、ターンオン時に前記エネルギーの供給経路及び回収経路を形成し、前記データドライバは、前記インダクタに接続されて、前記第１電極を介して前記エネルギーを供給又は回収することが好ましい。
【００１６】
また、前記エネルギー貯蔵部は、複数のキャパシタを含み、前記複数のキャパシタのうちの少なくとも１つは、前記第２電圧を供給し、前記少なくとも１つのキャパシタを除いた残りのキャパシタは、前記第１電圧を供給し、前記第１電極駆動部は、第１スイッチとデータドライバを含み、前記第１スイッチは、前記残りのキャパシタ及び前記インダクタの間に接続されて、ターンオン時に前記エネルギーの供給経路及び回収経路を形成し、前記データドライバは、前記インダクタに接続されて、前記第１電極を介して前記第１電圧に該当する前記エネルギーを供給又は回収することが好ましい。
【００１７】
さらに、前記第１電極駆動部は、第２スイッチをさらに含み、前記第２スイッチは、外部電圧源から供給されたデータ電圧を前記データドライバを介して前記第１電極に供給することが好ましい。
【００１８】
また、前記第１電極駆動部は、第２スイッチをさらに含み、前記第２スイッチは、前記少なくとも１つのキャパシタから供給された前記第２電圧を前記データドライバを介して前記第１電極に供給することが好ましい。
【００１９】
また、前記エネルギー貯蔵部は、第１キャパシタと、第２キャパシタと、第３キャパシタと、を含み、前記第１キャパシタ及び前記第２キャパシタは、互いに直列接続され、前記第３キャパシタは、前記第１キャパシタ及び前記第２キャパシタに並列接続され、前記第１電極駆動部は、前記第１キャパシタと前記第２キャパシタとの共通端に接続されることが好ましい。
【００２０】
また、前記少なくとも１つのキャパシタを除いた残りのキャパシタは、前記第１電極駆動部に接続する第１キャパシタと、前記第１キャパシタに接続する第２キャパシタとを含み、前記第２キャパシタのキャパシタンスは、前記第１キャパシタのキャパシタンスより大きいことが好ましい。
【００２１】
上記の目的を達成すべく、本発明に係るプラズマディスプレイ装置の駆動方法は、エネルギー貯蔵部と、第１電極と、第２電極と、を備えるプラズマディスプレイ装置の駆動方法であって、アドレス期間において、前記エネルギー貯蔵部によって供給された第１電圧又は第２電圧に該当するエネルギーを前記第１電極を介して供給又は回収するステップと、サステイン期間において、前記エネルギー貯蔵部によって供給される前記第２電圧に該当するエネルギーを前記第２電極に供給又は回収するステップとを含み、前記第１電圧のレベルは、前記第２電圧のレベルより小さいことを特徴とする。
【００２２】
さらに、前記アドレス期間において、前記第２電圧に該当する前記エネルギーを前記第１電極に供給するステップと、前記第１電極に定電圧を供給するステップと、前記第１電極から前記第２電圧に該当する前記エネルギーを前記エネルギー貯蔵部に回収するステップと、前記第１電極にグランドレベルの電圧を供給するステップと、を含むことが好ましい。
【００２３】
また、前記アドレス期間において、前記第１電圧に該当する前記エネルギーを前記第１電極に供給するステップと、前記第１電極に定電圧を供給するステップと、前記第１電極から前記第１電圧に該当する前記エネルギーを前記エネルギー貯蔵部に回収するステップと、前記第１電極にグランドレベルの電圧を供給するステップと、を含むことが好ましい。
【００２４】
また、前記アドレス期間において、前記第１電圧に該当する前記エネルギーを前記第１電極に供給するステップと、前記第１電極に前記第２電圧を供給するステップと、前記第１電極から前記第１電圧に該当する前記エネルギーを前記エネルギー貯蔵部に回収するステップと、前記第１電極にグランドレベルの電圧を供給するステップと、を含むことが好ましい。
【発明の効果】
【００２５】
本発明は、エネルギーを回収するための回路の部品の数を減らすことによって、エネルギー効率を上げることができ、かつ、製造費用を減らすことができる。
【発明を実施するための最良の形態】
【００２６】
以下、本発明の好ましい実施の形態を、添付図面に基づき詳細に説明する。
【００２７】
図１に示すように、実施の形態に係るプラズマディスプレイ装置は、プラズマディスプレイパネル１００、エネルギー貯蔵部１１０、第１電極駆動部１２０及び第２電極駆動部１３０を含む。
【００２８】
プラズマディスプレイパネル１００は、第１電極及び第２電極を備える。図１において、第１電極は、アドレス電極Ｘ１〜Ｘｍであり得、第２電極は、スキャン電極Ｙ１〜Ｙｎ又はサステイン電極Ｚ１〜Ｚｎのうちの少なくとも１つであり得る。アドレス電極Ｘ１〜Ｘｍは、スキャン電極Ｙ１〜Ｙｎ及びサステイン電極Ｚ１〜Ｚｎに交差する。アドレス電極Ｘ１〜Ｘｍと、スキャン電極Ｙ１〜Ｙｎ及びサステイン電極Ｚが交差する領域が１つの放電セルＤＣに該当する。
【００２９】
エネルギー貯蔵部１１０は、第１電圧Ｖ１及び第２電圧Ｖ２、又は第２電圧Ｖ２を供給する。第１電圧Ｖ１のレベルは、第２電圧Ｖ２のレベルより小さい。
【００３０】
実施の形態において、エネルギー貯蔵部１１０がアドレス期間においてアドレス電極Ｘ１〜Ｘｍに第２電圧Ｖ２を供給し、サステイン期間においてスキャン電極Ｙ１〜Ｙｎ及びサステイン電極Ｚ１〜Ｚｎに第２電圧Ｖ２を供給する場合、データ電圧のレベルとサステインパルスの最高電圧のレベルの１／２は、実質的に第２電圧Ｖ２のレベルと同じであってもよい。データ電圧は、データパルスの最高電圧である。
【００３１】
また、エネルギー貯蔵部１１０がアドレス期間において第１電圧Ｖ１をアドレス電極Ｘ１〜Ｘｍに供給し、サステイン期間において第２電圧Ｖ２をスキャン電極Ｙ１〜Ｙｎ及びサステイン電極Ｚ１〜Ｚｎに供給する場合、データパルスの最高電圧のレベルは、サステインパルスの最高電圧のレベルより小さくてもよい。
【００３２】
アドレス期間のデータパルスは、光を放出する放電セルを選択するためのものである。サステイン期間のサステインパルスは、選択された放電セルから光が放出されるようにする。
【００３３】
第１電極駆動部１２０は、アドレス期間においてエネルギー貯蔵部１１０の第１電圧Ｖ１又は第２電圧Ｖ２に該当するエネルギーをアドレス電極Ｘ１〜Ｘｍなどの第１電極を介して供給又は回収する。
【００３４】
第２電極駆動部１３０は、サステイン期間においてエネルギー貯蔵部１１０の第２電圧Ｖ２に該当するエネルギーをスキャン電極Ｙ１〜Ｙｎ又はサステイン電極Ｚ１〜Ｚｎなどの第２電極を介して供給又は回収する。実施の形態において、第２電極駆動部１３０は、スキャン電極Ｙ１〜Ｙｎを駆動するスキャン電極駆動部１３０Ｙとサステイン電極Ｚを駆動するサステイン電極駆動部１３０Ｚとを含む。
【００３５】
図２に示すように、エネルギー貯蔵部１１０は、キャパシタＣａを含み、キャパシタＣａは、第２電圧Ｖ２を供給する。第２電圧Ｖ２のレベルは、サステイン電圧Ｖｓレベルの１／２に該当する。
【００３６】
第１電極駆動部１２０は、アドレス期間においてエネルギー貯蔵部１１０の第２電圧Ｖ２に該当するエネルギーをインダクタＬＸとアドレス電極Ｘを介して供給又は回収する。第１電極駆動部１２０は、第１スイッチＳＸ１、第２スイッチＳＸ２、データドライバＤＤを含む。第１スイッチＳＸ１は、エネルギー貯蔵部１１０及びインダクタＬＸの間に接続されて、ターンオン時にエネルギーの供給経路及び回収経路を形成する。第２スイッチＳＸ２は、外部電圧源（図示せず）から供給されたデータ電圧Ｖｃｃを第１電極Ｘに供給する。データドライバＤＤは、インダクタＬＸに接続されて、第１電極Ｘを介して第２電圧Ｖ２に該当するエネルギーを供給又は回収する。
【００３７】
第１スイッチＳＸ１とデータドライバＤＤのトップスイッチＳＴがターンオンすると、エネルギー貯蔵部１１０の第２電圧Ｖ２に該当するエネルギーが第１スイッチＳＸ１、インダクタＬＸ及びトップスイッチＳＴを介して第１電極Ｘに供給される。これにより、第１電極Ｘの電圧は、第２電圧Ｖ２の２倍まで次第に上昇する。
【００３８】
第２スイッチＳＸ２とトップスイッチＳＴがターンオンし、第１スイッチＳＸ１とボトムスイッチＳＢがターンオフすると、外部電圧源のデータ電圧Ｖｃｃが第１電極Ｘに供給される。
【００３９】
第１スイッチＳＸ１とデータドライバＤＤのトップスイッチＳＴがターンオンすると、第２電圧Ｖ２に該当するエネルギーが第１電極Ｘ、トップスイッチＳＴ、インダクタＬＸ及び第１スイッチＳＸ１を介してエネルギー貯蔵部１１０のキャパシタＣａに回収される。
【００４０】
データドライバＤＤのボトムスイッチＳＢがターンオンし、第１スイッチＳＸ１、第２スイッチＳＸ２及びトップスイッチＳＴがターンオフすると、グランドレベルの電圧が第１電極Ｘに供給される。
【００４１】
スキャン電極駆動部１３０Ｙとサステイン電極駆動部１３０Ｚのそれぞれは、サステイン期間においてサステインパルスを交互に第２電極（Ｙ及びＺ）に供給する。スキャン電極駆動部１３０Ｙがサステインパルスを供給するとき、サステイン電極駆動部１３０ＺのスイッチＳ８は、ターンオン状態を維持し、サステイン電極駆動部１３０Ｚがサステインパルスを供給するとき、スキャン電極駆動部１３０ＹのスイッチＳ４は、ターンオン状態を維持する。
【００４２】
第１ダイオードＤ１〜第１２ダイオードＤ１２は、カソード端からアノード端へ流れる電流を遮断する。
【００４３】
スキャン電極駆動部１３０Ｙは、スイッチＳ１、スイッチＳ２、スイッチＳ３、スイッチＳ４の順にターンオンして、スキャン電極Ｙにサステインパルスを供給する。スキャン電極駆動部１３０Ｙの１つのスイッチがターンオンすると、スキャン電極駆動部１３０Ｙの残りのスイッチはターンオフする。
【００４４】
サステイン電極駆動部１３０Ｚは、スイッチＳ５、スイッチＳ６、スイッチＳ７、スイッチＳ８の順にターンオンして、サステイン電極Ｚにサステインパルスを供給する。サステイン電極駆動部１３０Ｚの１つのスイッチがターンオンすると、サステイン電極駆動部１３０Ｚの残りのスイッチはターンオフする。
【００４５】
スキャン電極駆動部１３０Ｙ及びサステイン電極駆動部１３０ＺのインダクタＬＹ、ＬＺは、スイッチＳ１、スイッチＳ３、スイッチＳ５又はスイッチＳ７のうちの１つがターンオンする時に共振を形成する。これにより、エネルギー貯蔵部１１０のキャパシタＣａは、第２電圧Ｖ２に該当するエネルギーを第２電極Ｙを介して供給又は回収し、サステイン電極駆動部１３０ＺのキャパシタＣＺは、第２電圧Ｖ２に該当するエネルギーを第２電極Ｚを介して供給又は回収する。
【００４６】
図２のスキャン電極駆動部１３０Ｙと第１電極駆動部１２０は、エネルギー貯蔵部１１０のキャパシタＣａを共に使用するので、エネルギー効率を上げることができ、かつ、部品の数を減らすことができる。
【００４７】
図３に示すように、本発明の実施の形態に係る他のプラズマディスプレイ装置は、プラズマディスプレイパネル１００、エネルギー貯蔵部１１０、第１電極駆動部１２０及び第２電極駆動部１３０（スキャン電極駆動部１３０Ｙ及びサステイン電極駆動部１３０Ｚ）を含む。
【００４８】
エネルギー貯蔵部１１０は、複数のキャパシタを備え、複数のキャパシタのうちの少なくとも１つは、第２電圧Ｖ２を供給し、少なくとも１つのキャパシタを除いた残りのキャパシタは、第１電圧Ｖ１を供給する。
【００４９】
例えば、エネルギー貯蔵部１１０は、第１キャパシタＣｂ、第２キャパシタＣｃ及び第３キャパシタＣａを備える。第１キャパシタＣｂ及び第２キャパシタＣｃは、互いに直列接続され、第３キャパシタＣａは、第１キャパシタＣｂ及び第２キャパシタＣｃに並列接続される。また、第１電極駆動部１２０は、第１キャパシタＣｂと第２キャパシタＣｃの共通端に接続される。第３キャパシタＣａは、第２電圧Ｖ２を供給する。第１キャパシタＣｂ及び第２キャパシタＣｃは、第１電圧Ｖ１を供給する。すなわち、第１キャパシタＣｂ及び第２キャパシタＣｃは、第３キャパシタＣａに形成された第２電圧Ｖ２を分圧することで、第１電圧Ｖ１を形成する。したがって、第１電圧Ｖ１のレベルは、第２電圧Ｖ２のレベルより小さい。
【００５０】
また、第２キャパシタＣｃのキャパシタンスは、第１キャパシタＣｂのキャパシタンスより大きくてもよい。例えば、サステイン電圧Ｖｓが１８０Ｖであり、データ電圧Ｖｃｃが８０Ｖであるとき、第１キャパシタＣｂの一方の端Ｔの電圧は９０Ｖであり、第２キャパシタＣｃの共通端ＣＴの電圧は４０Ｖである。したがって、一方の端Ｔと共通端ＣＴとの間の電圧は５０Ｖであるから、第２キャパシタＣｃのキャパシタンスは、第１キャパシタＣｂのキャパシタンスより大きくすることができる。
【００５１】
図３の第１電極駆動部１２０の構成は、図２の第１電極駆動部１２０の構成と同様であるので、詳細な説明を省略する。
【００５２】
第１スイッチＳＸ１とデータドライバＤＤのトップスイッチＳＴがターンオンすると、第１キャパシタＣｂ及び第２キャパシタＣｃによって形成された第１電圧Ｖ１に該当するエネルギーが、第１スイッチＳＸ１、インダクタＬＸ及びトップスイッチＳＴを介して第１電極Ｘに供給される。これにより、第１電極Ｘの電圧は、第１電圧Ｖ１の２倍まで次第に上昇する。
【００５３】
第２スイッチＳＸ２とトップスイッチＳＴがターンオンし、第１スイッチＳＸ１とボトムスイッチＳＢがターンオフすると、外部電圧源から供給されたデータ電圧ＶｃｃがデータドライバＤＤを介して第１電極Ｘに供給される。
【００５４】
第１スイッチＳＸ１とデータドライバＤＤのトップスイッチＳＴがターンオンし、第２スイッチＳＸ２とボトムスイッチＳＢがターンオフすると、第１電圧Ｖ１に該当するエネルギーが第１電極Ｘ、トップスイッチＳＴ、インダクタＬＸ及び第１スイッチＳＸ１を介してエネルギー貯蔵部１１０の第２キャパシタＣｃに回収される。
【００５５】
データドライバＤＤのボトムスイッチＳＢがターンオンし、第１スイッチＳＸ１、第２スイッチＳＸ２及びトップスイッチＳＴがターンオフすると、グランドレベルの電圧が第１電極Ｘに供給される。
【００５６】
スキャン電極駆動部１３０Ｙとサステイン電極駆動部１３０Ｚのそれぞれの動作は、図２の回路と同様であるので、詳細な説明を省略する。
【００５７】
図３の回路も、第１電極駆動部１２０と第２電極駆動部１３０がエネルギー貯蔵部１１０を共に使用するので、エネルギー効率を上げることができ、かつ、部品の数を減らすことができる。
【００５８】
図４に示すように、本発明の実施の形態に係る他のプラズマディスプレイ装置は、プラズマディスプレイパネル１００、エネルギー貯蔵部１１０、第１電極駆動部１２０及び第２電極駆動部１３０（スキャン電極駆動部１３０Ｙ及びサステイン電極駆動部１３０Ｚ）を含む。
【００５９】
プラズマディスプレイパネル１００及び第２電極駆動部１３０の構成は、図２及び図３の回路と同様なので、詳細な説明は省略する。
【００６０】
図４のエネルギー貯蔵部１１０は、複数のキャパシタを備え、複数のキャパシタのうちの少なくとも１つは、第２電圧Ｖ２を供給し、少なくとも１つのキャパシタを除いた残りのキャパシタは、第１電圧Ｖ１を供給する。第１電極駆動部１２０は、第１電圧Ｖ１に該当するエネルギーを第１電極Ｘを介して供給又は回収し、第１電極Ｘに第２電圧Ｖ２を供給する。
【００６１】
第１電極駆動部１２０は、第１スイッチＳＸ１、第２スイッチＳＸ２、データドライバＤＤを含む。第１スイッチＳＸ１は、上記残りのキャパシタ及びインダクタＬＸの間に接続されて、ターンオン時にエネルギーの供給経路及び回収経路を形成する。データドライバＤＤは、インダクタＬＸに接続されて、第１電極Ｘを介して第１電圧Ｖ１に該当するエネルギーを供給又は回収する。第２スイッチＳＸ２は、少なくとも１つのキャパシタから供給された第２電圧Ｖ２をデータドライバＤＤを介して第１電極Ｘに供給する。
【００６２】
例えば、エネルギー貯蔵部１１０は、第１キャパシタＣｂ、第２キャパシタＣｃ及び第３キャパシタＣａを含む。第１キャパシタＣｂ、第２キャパシタＣｃ及び第３キャパシタＣａの接続は、図３の接続関係と同様であるので、詳細な説明は省略する。
【００６３】
第１キャパシタとＣｂと第２キャパシタＣｃの共通端ＣＴは、第１スイッチＳＸ１に接続され、第２スイッチＳＸ２は、第１キャパシタＣｂの一方の端Ｔに接続する。
【００６４】
したがって、上記の図３の回路では、第１電極Ｘの電圧が第１電圧Ｖ１の２倍まで次第に上昇した後、外部電圧源からデータ電圧Ｖｃｃが第１電極Ｘに供給されが、これとは異なり、図４の回路では、エネルギー貯蔵部１１０の第３キャパシタＣａから供給された第２電圧Ｖ２が第１電極Ｘに供給される。
【００６５】
これにより、図４のスキャン電極駆動部１３０Ｙと第１電極駆動部１２０は、エネルギー貯蔵部１１０を共に使用するので、エネルギー効率を上げることができ、かつ、部品の数を減らすことができる。
【００６６】
図１〜図４の実施の形態では、スキャン電極駆動部１３０Ｙと第１電極駆動部１２０がエネルギー貯蔵部１１０を共に使用しているが、サステイン電極駆動部１３０Ｚと第１電極駆動部１２０がエネルギー貯蔵部１１０を共に使用することもできる。
【００６７】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６８】
【図１】本発明の実施の形態に係るプラズマディスプレイ装置を示したものである。
【図２】図１のエネルギー貯蔵部、第１電極駆動部及び第２電極駆動部の回路の一例を示したものである。
【図３】図１のエネルギー貯蔵部、第１電極駆動部及び第２電極駆動部の回路の他の一例を示したものである。
【図４】図１のエネルギー貯蔵部、第１電極駆動部及び第２電極駆動部の回路の他の一例を示したものである。
【図１】
2007213076.tif 000003
【図２】
2007213076.tif 000004
【図３】
2007213076.tif 000005
【図４】
2007213076.tif 000006